【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
シーンのワイドビューの撮像投影を表示するメディアデータをサーバから受信する方法であって、前記受信されるメディアデータは前記ワイドビューの少なくとも一部を３Ｄ幾何学的表示面にレンダリングすること又は前記ワイドビューの少なくとも一部を少なくとも２つの異なる視点による表示面にレンダリングすることを可能とし、前記レンダリングは前記ワイドビューの少なくとも一部の撮像投影を表示するメディアデータの少なくとも１つのレンダリング投影を備え、前記方法はクライアントにおいて実行され、
前記ワイドビューの撮像投影を表示する前記メディアデータの情報を含む記述ファイルをサーバから受信するステップであって、前記情報は前記メディアデータを生成するための前記ワイドビューの前記撮像に関する記述情報を備える、ステップ、
前記記述ファイルに基づいて少なくとも１つのメディアデータストリームを要求するための少なくとも１つの要求メッセージを前記サーバへ送信するステップ、及び
前記少なくとも１つの要求メッセージに応じて、前記少なくとも１つの要求されたメディアデータストリームに対応するメディアデータを前記サーバから受信するステップ
を備える方法。
【請求項２】
シーンのワイドビューの撮像投影を表示するメディアデータをサーバからクライアントへストリーミングする方法であって、前記ストリーミングされるメディアデータは前記クライアントが前記ワイドビューの少なくとも一部を３Ｄ幾何学的表示面にレンダリングすること又は前記ワイドビューの少なくとも一部を少なくとも２つの異なる視点による表示面にレンダリングすることを可能とし、前記レンダリングは前記ワイドビューの少なくとも一部の撮像投影を表示するメディアデータの少なくとも１つのレンダリング投影を備え、前記方法はサーバにおいて実行され、
前記ワイドビューの撮像投影を表示する前記メディアデータの情報を含む記述ファイルを前記クライアントに送信するステップであって、前記情報は前記メディアデータを生成するための前記ワイドビューの前記撮像に関する記述情報を備える、ステップ、
前記記述ファイルに基づいて少なくとも１つのメディアデータストリームを要求するための少なくとも１つの要求メッセージを前記クライアントから受信するステップ、及び
前記少なくとも１つの要求メッセージに応じて、前記少なくとも１つの要求されたメディアデータストリームに対応するメディアデータを前記クライアントに送信するステップを備える方法。
【請求項３】
前記メディアデータを生成するための前記ワイドビューの前記撮像に関連する前記記述情報は、前記撮像投影に関連する、請求項１または２に記載の方法。
【請求項４】
前記記述情報は、少なくとも１つのディスクリプタ内に少なくとも部分的に提供される、請求項１から３のいずれか１項に記載の方法。
【請求項５】
前記ワイドビューの撮像投影を表示する前記メディアデータは画像を備え、前記画像の少なくとも１つはパノラマ画像であり、前記パノラマ画像は単一のパノラマ領域若しくは複数のパノラマ領域を備え、又は異なるパノラマ領域の集合である、請求項１から４のいずれか１項に記載の方法。
【請求項６】
前記記述情報は、少なくとも１つの特定のディスクリプタ内に少なくとも部分的に提供され、１つの特定のディスクリプタは１つのパノラマ画像又は１つのパノラマ領域と関連付けられる、請求項５に記載の方法。
【請求項７】
前記撮像投影は少なくとも１つの所定のタイプを有する幾何学的投影であり、前記パノラマ領域は前記幾何学的投影の前記少なくとも１つの所定のタイプの関数として特定される、請求項６に記載の方法。
【請求項８】
前記記述情報は、少なくとも１つのディスクリプタ又は特定のディスクリプタ内であって、受信したメディアデータのレンダリングを可能としながら当該ディスクリプタ又は特定のディスクリプタ内の前記記述情報に対応する前記メディアデータが前記クライアントによって破棄され得るかをシグナリングするシグナリング情報に関連付けられた少なくとも１つのディスクリプタ又は特定のディスクリプタ内に、少なくとも部分的に提供される、請求項１から７のいずれか１項に記載の方法。
【請求項９】
前記記述情報は、前記メディアデータに関連するリソースを識別するための情報を備える、請求項１から８のいずれか１項に記載の方法。
【請求項１０】
前記撮像投影は少なくとも１つの所定のタイプを有し、前記記述ファイルは前記撮像投影の前記少なくとも１つの所定のタイプを備え、前記撮像投影の前記少なくとも１つの所定のタイプは幾何学的投影の球体、楕円体、立方体、円筒体及び角錐体タイプの少なくとも１つである、請求項１から９のいずれか１項に記載の方法。
【請求項１１】
識別された定義されたディスクリプタ又は特定のディスクリプタに関連するパラメータが前記メディアデータの異なる部分を記述するのに使用され得るように、識別子が少なくとも１つの定義されたディスクリプタ又は特定のディスクリプタと関連付けられる、請求項１から１０のいずれか１項に記載の方法。
【請求項１２】
前記ワイドビューの撮像投影を表示する前記メディアデータは画像を備え、少なくとも１つの前記画像は少なくとも１つの領域を備え、前記少なくとも１つの領域はディスクリプタの属性として定義される、請求項２から１１のいずれか１項に記載の方法。
【請求項１３】
前記記述ファイルは少なくとも１つの空間的関係記述をさらに備え、前記少なくとも１つの空間的関係記述は対象領域をパノラマ画像の少なくとも一部内に定義し、又はパノラマ画像の領域を定義する、請求項５に記載の方法。
【請求項１４】
パノラマ画像の第１の領域の第１の撮像投影に関係する記述情報は、前記少なくとも１つの空間的関係記述の関数として前記パノラマ画像の第２の領域をレンダリングするために使用される、請求項１３に記載の方法。
【請求項１５】
前記記述情報は、空間的関係記述の関数として前記メディアデータに関係するリソースを識別するための情報を備える、請求項１から１２のいずれか１項に記載の方法。  
【請求項１６】
前記ワイドビューの撮像投影を表示する前記メディアデータはスティッチング可能な画像の集合を備え、前記記述情報は撮像投影のいずれの特定のタイプも備えない、請求項１または２に記載の方法。
【請求項１７】
前記ワイドビューの撮像投影を表示する前記メディアデータは画像を備え、少なくとも１つの前記画像は同一の立体視の２つの画像に対応する少なくとも２つの異なる領域を備える、請求項１から１６のいずれか１項に記載の方法。
【請求項１８】
前記ワイドビューの撮像投影を表示する前記メディアデータは画像を備え、少なくとも１つの前記画像は全方向性のパノラマ画像である、請求項１から１７のいずれか１項に記載の方法。
【請求項１９】
プログラム可能な装置のためのコンピュータプログラムであって、前記コンピュータプログラムは、前記プログラムがロードされ、プログラム可能な装置によって実行される場合に請求項１から１８のいずれか１項に記載の方法の各ステップを実行するための命令を備える、コンピュータプログラム。
【請求項２０】
シーンのワイドビューの撮像投影を表示するメディアデータをサーバから受信するためのクライアントに対するデバイスであって、前記受信されるメディアデータは前記ワイドビューの少なくとも一部を３Ｄ幾何学的表示面にレンダリングすること又は前記ワイドビューの少なくとも一部を少なくとも２つの異なる視点による表示面にレンダリングすることを可能とし、前記レンダリングは前記ワイドビューの少なくとも一部の撮像投影を表示するメディアデータの少なくとも１つのレンダリング投影を備え、前記デバイスが、
前記ワイドビューの撮像投影を表示する前記メディアデータの情報を含む記述ファイルをサーバから受信するステップであって、前記情報は前記メディアデータを生成するための前記ワイドビューの前記撮像に関する記述情報を備える、ステップ、
前記記述ファイルに基づいて少なくとも１つのメディアデータストリームを要求するための少なくとも１つの要求メッセージを前記サーバへ送信するステップ、及び
前記少なくとも１つの要求メッセージに応じて、前記少なくとも１つの要求されたメディアデータストリームに対応するメディアデータを前記サーバから受信するステップ
を実行するように構成されたマイクロプロセッサを備えるデバイス。
【請求項２１】
シーンのワイドビューの撮像投影を表示するメディアデータをサーバからクライアントへストリーミングするためのサーバに対するデバイスであって、前記ストリーミングされるメディアデータは前記クライアントが前記ワイドビューの少なくとも一部を３Ｄ幾何学的表示面にレンダリングすること又は前記ワイドビューの少なくとも一部を少なくとも２つの異なる視点による表示面にレンダリングすることを可能とし、前記レンダリングは前記ワイドビューの少なくとも一部の撮像投影を表示するメディアデータの少なくとも１つのレンダリング投影を備え、前記デバイスが、
前記ワイドビューの撮像投影を表示する前記メディアデータの情報を含む記述ファイルを前記クライアントに送信するステップであって、前記情報は前記メディアデータを生成するための前記ワイドビューの前記撮像に関する記述情報を備える、ステップ、
前記記述ファイルに基づいて少なくとも１つのメディアデータストリームを要求するための少なくとも１つの要求メッセージを前記クライアントから受信するステップ、及び
前記少なくとも１つの要求メッセージに応じて、前記少なくとも１つの要求されたメディアデータストリームに対応するメディアデータを前記クライアントに送信するステップを実行するように構成されたマイクロプロセッサを備えるデバイス。